(57)【要約】      （修正有）【課題】読み終わった雑誌等を再読容易に収納可能かつ、収納状態のまま結束可能とする雑誌等ラックを提供する。【解決手段】雑誌等ラックＳ１は、左収納部３及びこれと対になる右収納部５を組み合わせてなるラック本体１と、左収納部と右収納部とを底板部及び後板部同士が所定間隔を有するように固着している脚部材２とからなる。底板部３ａ，５ａの前後の幅は収納すべき雑誌等の短辺にこの辺長の２０％以下の寸法を加えた大きさとしてあるので、雑誌等を収納したままの状態で短辺側に結束用の紐を巻き付けることが出来る。また、底板部の前後の幅を被収納雑誌等の短辺の半分よりも僅かに大きくしたものからなるので、雑誌等を収納したままの状態で長辺側の結束も容易に行うことが出来る。【選択図】図１
0003123668.tif 000002
【実用新案登録請求の範囲】
【請求項１】
底板部の２辺を立ち上げて後板部と側板部とする左収納部及び上記左収納部と対になる右収納部を組み合わせてなるラック本体と、
上記左収納部と上記右収納部とを上記底板部及び上記後板部同士が所定間隔を有するように固着している脚部材と
からなり、上記底板部の前後の幅は収納すべき雑誌等の短辺に当該辺長の２０％以下の寸法を加えた大きさとしてある
ことを特徴とする雑誌等ラック。
【請求項２】
請求項１において、上記各側板部の前後の幅は収納すべき雑誌等の短辺のほぼ半分に相当するものとしてあり、上記底板部は上記各側板部よりも所定の幅だけ前方へ張り出していることを特徴とする雑誌等ラック。
【考案の詳細な説明】
【技術分野】
【０００１】
本考案は、読み終わった雑誌や新聞を保管し、後日の廃棄処分に際しての結束を容易にするとともに、所望の雑誌の号報や新聞などを取り出し容易とした雑誌等ラックに関するものである。
【背景技術】
【０００２】
読み終わった雑誌や新聞は、通常、市区町村等の自治体で定めた期日に紐で結束して所定の場所に出し、あるいは廃品回収業者に引き渡している。ところで、読み終わった雑誌や新聞を廃棄するまでの期間、屋内に保管しておくことになるが、これに関しては保管場所や室内美感の維持の他、結束作業が面倒であるなどの問題がある。このため、これらの課題を解決するための手段として従来から種々の提案がなされている。
【０００３】
その第１例として、特許文献１に、新聞紙等を簡単に積み重ねて保管可能であるとともに、そのままの状態で束ねることが可能な新聞紙等の収納用容器が記載されている。その第２例として、特許文献２に、ボトムフレームとトップフレームとをＬ字状の軸で結合するとともに、これらの軸の適当な高さ位置に新聞紙等を支持する枠を設けたものからなる新聞雑誌ラックが記載されている。これらの新聞紙等を枠内に入れたままの状態で結束できるようにしたものである。その第３例として、特許文献３に、上辺と下辺に溝を設けた複数の板状体を組み立て、上下を開放してなる方形枠状のストッカー本体と、その下部で十文字状になるように配置される結束紐とからなり、この結束紐を下辺の溝に引っかけ、その各端部をそれぞれの上辺の溝に止着するように構成した新聞等のストッカーが記載されている。これも新聞紙等をストッカーから取り出すことなくストッカー内に収納したままの状態で結束可能としたものである。
【０００４】
【特許文献１】特開平５−２２００１８２０号公報
【特許文献２】特開２００１―２１３４１２号公報
【特許文献３】特開２００２―１６０７０８号公報
【考案の開示】
【考案が解決しようとする課題】
【０００５】
上記各例は、いずれもそれぞれの特徴を感得出来るが、第１例では単体製品ではあるが、構造が複雑になっているため、製造コストが高くなる弱点と、結束するための操作が面倒になる問題がある。また、第２例では、結束作業は容易であると思料されるが、保管中における被収納物の全外周が露出状態となるため、保管中の外観が見苦しく、これを設置する室内の美感を損なうこと及びどれか所望の号報を取り出そうとするときには、目的物の上に積み重ねられた全ての号報等を取り除き、その後再び元の位置に戻さなければならない難点がある。
【０００６】
さらに第３例では、従来から新聞販売店で配っている古新聞紙収納袋を実質的に改良したものとも言うべきものであり、古新聞紙を廃棄する際の結束を容易にしてある。しかしながら中に入っている特定の号報等を取り出そうとすると、それがどこにあるのかわからず、結局全ての古新聞紙を取り出さなければならないので、従来の収納袋と同様に取り出し操作が面倒である。また、このストッカーは廃棄する新聞紙とともに廃棄対象とするものであるので、小物家具としての性格を有しないものである。本考案は、構造が簡単かつ結束作業が容易であるとともに、いつでも所望の号報等を容易に取り出し可能な小物家具としての雑誌等ラックを安価に提供することを課題とするものである。
【課題を解決するための手段】
【０００７】
上記の課題を解決するために、本考案の雑誌等ラックは、以下の手段を採用し、以下の作用効果を生じるようにした。請求項１に記載した考案の雑誌等ラックは、底板部の２辺を立ち上げて後板部及び側板部とする左収納部と、左収納部と対になる右収納部を組み合わせてなるラック本体と、左収納部と右収納部とを底板部及び後板部同士が所定間隔を有するように固着している脚部材とからなる。このラック本体は、底板部の前後の幅が収納すべき雑誌等の短辺の幅に、この端辺の辺長の２０％以下の寸法を加えた大きさとしてある。ここで雑誌等の短辺とは、用紙の寸法としてＡ版又はＢ版を採用する場合、縦横の寸法が一定比率の長方形となっているが、そのうちの短い方の辺をいう。
【０００８】
上記構成において、上記の収納部は左右の底板部及び後板部の対向面が、脚部材によって所定の間隔に保持されることにより結合されている。左右の収納部間に間隙が設けてあるので、被収納雑誌等の後部と底部の中央部に空間ができるようになっている。これらの空間を利用することにより、結束用の紐を用いて結束する際に、短辺側に容易に紐を巻き付けることができる。また、底板部の前後の長さが収納すべき雑誌等の短辺の幅に、この幅の２０％以下の寸法を加えた大きさとしてあるので、雑誌等の崩落を防止可能となる。さらに、底板部及び側板部の前端部が被収納雑誌の短辺の中央部よりも僅かに出た状態となっている。このため、雑誌等を収納部に収納した状態のまま縦方向に紐を巻き回すことが出来るので結束作業が容易になる。底板部が雑誌等の短辺の幅よりやや大きくなっているため、巻回し位置が中心部より外側に僅かにずれてしまうが、この程度のずれは廃棄処分にするための処置としては支障が生じない。
【０００９】
請求項２に記載した考案の雑誌等ラックは、請求項１に記載した考案を変形したものである。すなわち、各側板部の前後の幅は、収納すべき雑誌等における短辺の幅のほぼ半分としてあり、底板部は上記各側板部の前端部よりも所定の幅だけ前方へ張り出しているものとしてあるところに特徴がある。底板部を前方に張り出せばそれだけ被収納雑誌等の安定性を増大させることが可能となる。また、底板部が張り出していても側板部は雑誌等の短辺のほぼ半分としてあるので、結束時には、紐を側板部の前端部に沿って巻き回せば、長辺側についてはほぼ中央部で結束可能となる。雑誌等の下面に紐を巻き回す際には、その最下面と底板部の上面との間に紐を進入させることは容易であるので、底板部の存在により結束の容易性を損なわない。
【考案の効果】
【００１０】
本考案によれば、読み終わった雑誌等をラックに収納する際に、背表紙の部分を正面に向けられた状態とすることが出来るので、後日再読や読み返しなどをする際に直ちに取り出すことが出来る。また、左右の収納部間に間隙を設けてあるので、この間隙を利用して雑誌等の短辺側を容易に結束可能となる。長辺側の結束については底板部の前後幅を被収納雑誌等の半分より僅かに大きくしたものとしてあるので、そのまま紐を巻き付けることが可能である。さらにまた、側板部の前端部を被収納雑誌等の短辺のほぼ半分とし、そこから底板部の前端部を張り出すようにすれば、結束の容易性を損なわずに収納の安定性を向上させることができる。
【考案を実施するための最良の形態】
【００１１】
以下、本考案を実施するための最良の形態について、いくつかの実施例を挙げて説明する。本考案に係る雑誌等ラックの基本形態は、ラック本体と、ラック本体をなす左右の収納部を連結固定するための脚部材とからなる。実施例についての説明としては、第１に基本形態、第２に収納部の側板部及び底板部の変形例、第３に脚部材の変形例の順に行う。
【実施例１】
【００１２】
図１は、実施例１に係る雑誌等ラックの全体の構成を示している。雑誌等ラックＳ１は図示のとおり、ラック本体１と脚部材２とからなる。ラック本体１は、左右の収納部３，５を脚部材２で連結固定したものからなる。左収納部３は左底板部３ａ、左後板部３ｂ及び左側板部３ｃからなる。同様にして右収納部５は右底板部５ａ、右後板部５ｂ及び右側板部５ｃからなる。ここでラック本体１の構成について補足説明すると、左右の収納部３，５は、平面形状が四角形の上部開口容器を上下に４分割したものから、互いに所定の間隙を設けて、分割面を対向させた状態に組み合わせたものと同様のものとなっている。各後板部３ｂ，５ｂ及び各側板部３ｃ、５ｃは、各底板部３ａ，５ａの一辺を立ち上げ、各収納部はそれぞれ三者一体としてあるが、底板部及び側板部の前後方向の幅は、被収納雑誌等の短辺の半分よりもやや大きくしてある。各収納部３，５の上端部にはリブ部３ｅ，５ｅを形成して補強及び持ちやすくしてある。底板部の前後方向の幅に関する具体例として、Ａ４版の雑誌等を収納対象とするものについては、短辺の幅である２１０ｍｍの半分よりもやや大きい数値である１２０ｍｍとしてある。
【００１３】
各収納部３，５は、図１，図２に示すように、１対の脚部材２を介して所定間隔かつ前端部が面一上に来るように固定してある。１対の脚部材２のうち、前脚部材７は、前取付け部７ａ、前脚部７ｂ及び接地部７ｃとからなる。同じく後脚部材９も、後取付け部９ａ、後脚部９ｂ及び後接地部９ｃとからなる。前脚部７ｂと後脚部９ｂとは長さを異にしてあるので、この両者に支持されたラック本体１は、前方を高くする傾斜状になっている。
【００１４】
上述の各収納部はプラスチック成型品とし、各脚部はプラスチック成型品又はアルミニウム板を加工したものなどを用いる。各収納部３，５への脚部の取り付けは、接着剤又は両面粘着テープによる接合やビス止めなどで行う。工場出荷の際には組立済み製品として、又は本体と脚部及び組立用の接着剤やビス等をセットにしたものとする方法がある。
【００１５】
図３，図４は、完成品である雑誌等ラックＳ１に雑誌等Ｍを収納した状態を示している。雑誌等Ｍの長辺を正面に向けた状態に収納することにより、所望の号報を容易に探し出し、かつ容易に取り出すことができるようになっている。雑誌等Ｍの短辺の半分以上が底板部３ａ，５ａ上に載っているため、崩落のおそれがない。さらに図４に示すように、雑誌等Ｍの重心の位置Ｇが仮に側板部３ｃ，５ｃの前端部よりも外方に位置していても、ラック本体１が傾斜状になっていれば、重心の垂直分力は底板部上に位置することになるので、収納上の安定性が得られるようになっている。
【００１６】
読み終わった雑誌等Ｍの収納量が所定量になったら、これを紐で結束してリサイクル集積所などに出せばよい。雑誌等Ｍの結束方法は、図３，図４に示すように、まず、紐Ｒを雑誌等Ｍの短辺側に巻き回し、任意の位置で結わき、次に、ラック本体１の前面に接する位置に紐Ｒを巻き回して結わけばよい。長辺側を結わく位置は中央部より僅かにずれるが、リサイクル向けとしての結束に支障はない。結束の要領は上記の逆であってもよい。
【実施例２】
【００１７】
実施例２は、実施例１の変形例として、図５，図６に示すように、雑誌等ラックＳ２のラック本体２１について、各側板部２３ｃ，２５ｃを被収納雑誌等のほぼ半分とし、底板部２３ａ，２５ａを各側板部２３ｃ，２５ｃよりも前方へ張り出すようにしたものである。すなわち、各底板部２３ａ，２５ａは各側板部２３ｃ，２５ｃよりも雑誌等Ｍの短辺の３０〜４０％を前方に残して支持するようにして、収納状態の安定性を向上させるようにしたものである。短辺側の結束要領は実施例１と同様であるが、長辺側については、雑誌等Ｍの下面と底板部２３ａ，２５ａの上面との間に、紐を進入させることにより容易に巻き回すことが可能となる。各側板部２３ｃ，２５ｃの前端部が雑誌等のほぼ中央部に位置するようになっているため、雑誌等の中央部に紐を巻き回すことが可能となる。底板部２３ａ，２５ａの先端部上面に丸みを付けてガイドの働きをするようにしておけば、紐の進入を容易にすることができる。
【実施例３】
【００１８】
実施例３は、実施例１，２における脚部材を変形した例を提示したものである。すなわち、上記各実施例では、脚部材２を前後１対の脚部材を組み合わせたものとしてあるが、ここではこれを一体にしたものを採用したものである。図７，図８はその例を示すもので、脚部材３２は、取付け部３７ａ，３７ａ、脚部３７ｂ，３７ｂ及び接地部３７ｃからなる。取付け部３７ａは、前後の幅をラック本体１の前後の幅に対応する大きさとし、接地部３７ｃを後方にやや張り出して安定性を向上させたものとしてある。取付け部３７ａ，３７ａは、後方を低くする傾斜面としてあり、この上に載置されるラック本体１を傾斜状に支持可能としてある。その他については実施例１及び実施例２に準じものとなっている。ラック本体の支持状態を強化するとともに、部品点数を減らすことにより製造コストの低減を図ったものである。
【００１９】
以上の説明は、Ａ４版の雑誌等を収納対象として説明してあるが、Ａ３版やＢ４版に適用することも可能である。上述の実施例の他、ラック本体と脚部材とをプラスチック成形により一体にしたものや、陶器又は磁器などによって構成することによりインテリア家具としてもよい。
【産業上の利用可能性】
【００２０】
本考案はものの製造物に係るものであり、実施により産業の発達に寄与するとともに、リサイクルの促進にも貢献するものである。
【図面の簡単な説明】
【００２１】
【図１】実施例１の全体の構成を示す斜視図である。
【図２】実施例１の構成を示す底面図である。
【図３】実施例１で雑誌等を収納した状態を示す正面図である。
【図４】実施例１で雑誌等を収納した状態を示す側面図である。
【図５】実施例２の全体の構成を示す斜視図である。
【図６】実施例２で雑誌等を収納した状態を示す側面図である。
【図７】実施例３における脚部材の構成を示す斜視図である。
【図８】実施例３の全体の構成を示す側面図である。
【符号の説明】
【００２２】
Ｓ１，Ｓ２，Ｓ３    雑誌等ラック
１，２１，３１      ラック本体
２，２２，３２      脚部材
３、２３，３３      左収納部
５，２５，３５      右収納部
７                  前脚部材
９                  後脚部材
【図１】
0003123668.tif 000003
【図２】
0003123668.tif 000004
【図３】
0003123668.tif 000005
【図４】
0003123668.tif 000006
【図５】
0003123668.tif 000007
【図６】
0003123668.tif 000008
【図７】
0003123668.tif 000009
【図８】
0003123668.tif 000010